(57)【要約】【課題】シャッター動作に基づくシャッター以外の動作指示の信頼性を高めたカメラを提供する。【解決手段】本発明によるカメラは、シャッター羽根の可動範囲に向けて信号を送信する信号送信手段と、信号を受信する信号受信手段と、信号送信手段から送出した信号が受信手段で受信されるか否かに応じてシャッター羽根の動作を検出する検出手段と、検出手段による検出信号に基づいて、シャッター動作以外のカメラ動作を指示する制御手段とを備えることを特徴とする。【選択図】図３
2007279426.tif 000002
【特許請求の範囲】
【請求項１】
シャッター羽根の可動範囲に向けて信号を送信する信号送信手段と、
前記信号を受信する信号受信手段と、
前記信号送信手段から送出した信号が前記受信手段で受信されるか否かに応じてシャッター羽根の動作を検出する検出手段と、
前記検出手段による検出信号に基づいて、シャッター動作以外のカメラ動作を指示する制御手段とを備えることを特徴とするカメラ。
【請求項２】
請求項１に記載のカメラにおいて、
前記信号送信手段は発光素子を含み、
前記信号受信手段は受光素子を含むことを特徴とするカメラ。
【請求項３】
請求項１または２に記載のカメラにおいて、
前記検出手段はシャッター幕の開動作を検出し、
前記制御手段は閃光装置の発光を指示することを特徴とするカメラ。
【請求項４】
請求項１〜３のいずれか一項に記載のカメラにおいて、
被写体像を撮像し、撮像信号を出力する撮像素子をさらに備え、
前記検出手段はシャッター幕の閉動作を検出し、
前記制御手段は前記撮像素子から撮像信号の読出しを指示することを特徴とするカメラ。
【請求項５】
請求項１〜４のいずれか一項に記載のカメラにおいて、
前記信号送信手段は、前記シャッター幕の走行方向において走行範囲の略中央より後ろ側に向けて前記信号を送信することを特徴とするカメラ。
【発明の詳細な説明】
【技術分野】
【０００１】
本発明は、カメラに関する。
【背景技術】
【０００２】
閃光装置の発光タイミングを示す信号を発するＸ接点スイッチが知られている（たとえば、特許文献１参照）。Ｘ接点を構成する可動接片は、フォーカルプレーンシャッターの作動に応じて固定接片と接触、開離するように構成される。
【０００３】
【特許文献１】実開昭６０−５６０２８号公報
【発明の開示】
【発明が解決しようとする課題】
【０００４】
シャッターの動作に基づくタイミング信号を機械接触により発生させる場合、接片の摩耗や接点オン−オフ時のチャタリングによるカメラ動作の信頼性低下が問題となりやすい。
【課題を解決するための手段】
【０００５】
（１）本発明によるカメラは、シャッター羽根の可動範囲に向けて信号を送信する信号送信手段と、信号を受信する信号受信手段と、信号送信手段から送出した信号が受信手段で受信されるか否かに応じてシャッター羽根の動作を検出する検出手段と、検出手段による検出信号に基づいて、シャッター動作以外のカメラ動作を指示する制御手段とを備えることを特徴とする。
（２）請求項１に記載のカメラにおいて、信号送信手段は発光素子を含み、信号受信手段は受光素子を含むことが好ましい。
（３）請求項１または２に記載のカメラにおいて、検出手段はシャッター幕の開動作を検出し、制御手段は閃光装置の発光を指示することが好ましい。
（４）請求項１〜３のいずれか一項に記載のカメラはさらに、被写体像を撮像し、撮像信号を出力する撮像素子を備えてもよい。この場合の検出手段はシャッター幕の閉動作を検出し、制御手段は撮像素子から撮像信号の読出しを指示することもできる。
（５）請求項１〜４のいずれか一項に記載のカメラにおいて、信号送信手段は、シャッター幕の走行方向において走行範囲の略中央より後ろ側に向けて信号を送信してもよい。
【発明の効果】
【０００６】
本発明によるカメラでは、シャッター動作に基づくシャッター動作以外の動作指示の信頼性を高められる。
【発明を実施するための最良の形態】
【０００７】
以下、図面を参照して本発明を実施するための最良の形態について説明する。図１は、本発明の一実施の形態による一眼レフ電子カメラの要部構成を説明する図である。図１において、カメラ本体５０に対して着脱可能に構成される交換レンズ６０がカメラ本体５０に装着されている。交換レンズ６０は、鏡筒６１および鏡筒６１内に配設される撮影レンズ６２によって構成される。
【０００８】
交換レンズ６０を介してカメラ本体５０に入射した被写体光は、レリーズ前は破線で示すように位置するクイックリターンミラー５１で上方へ導かれてファインダマット５４に結像する。被写体光はさらにペンタプリズム５５へ入射され、ペンタプリズム５５によって接眼レンズ５６へ導かれる。
【０００９】
レリーズ後はクイックリターンミラー５１が実線で示される位置へ回動し、被写体光はシャッター５２を介して撮影用撮像素子５３へ導かれ、その撮像面上に被写体像を結像する。撮像素子５３は、画素に対応する複数の光電変換素子を備えたＣＣＤイメージセンサなどによって構成され、撮像面上に結像されている被写体像を撮像し、被写体像の明るさに応じた光電変換信号を出力する。
【００１０】
図２は、フォーカルプレーンシャッター５２の構成と作動状態を説明する図である。シャッター５２は、先羽根群（いわゆる先幕）２３と後羽根群（いわゆる後幕）３９とからなる２組の走行幕を有する。図２は、先幕２３が撮影用開口であるアパーチャ６ａを閉鎖し、後幕３９が畳まれてアパーチャ６ａを開鎖している状態を例示する。先幕２３は、先駆動レバー２９を介して取り付けられている。先駆動レバー２９は、支軸２８を中心に回動するように構成される。後幕３９は、後駆動レバー３６を介して取り付けられている。後駆動レバー３６は、支軸３２を中心に回動するように構成される。
【００１１】
先マグネット１７への通電がオフされると、先アーマチャレバー１９がばね２１の付勢力によって軸２５の周りに時計方向に回転する。これにより、先かぎ２６が先アーマチャレバー１９に押され、ばね２７に抗して軸２８の周りに反時計方向に回転する。先かぎ２６の回転によって先駆動レバー２９と先かぎ２６との係合が解除されることにより、先駆動レバー２９がばね３０の付勢力によって軸３１の周りに時計方向に回転する。先駆動レバー２９に設けられている駆動ピン２９ａが先幕２３に設けられている長穴２３ａと嵌合されているため、先幕２３は矢印Ａの方向に駆動されてアパーチャ６ａを開鎖する。
【００１２】
後マグネット１８への通電がオフされると、後アーマチャレバー２０がばね２２の付勢力によって軸３２の周りに反時計方向に回転する。これにより、後かぎ３３が後アーマチャレバー２０に押され、ばね３４に抗して軸３５の周りに時計方向に回転する。後かぎ３３の回転によって後駆動レバー３６と後かぎ３３との係合が解除されることにより、後駆動レバー３６がばね３７の付勢力によって軸３８の周りに時計方向に回転する。後駆動レバー３６に設けられている駆動ピン３６ａが後幕３９に設けられている長穴３９ａと嵌合されているため、後幕３９は矢印Ａの方向に駆動されてアパーチャ６ａを閉鎖する。
【００１３】
図３は、電子カメラ５０の回路構成を説明するブロック図である。図３において、タイミングジェネレータ(TG)１１５は、メインＣＰＵ１１８から送出される指示に応じてタイミング信号を発生し、ドライバ１１４、ＡＦＥ(Analog Front End)回路１１２およびＡ／Ｄ変換回路１１３のそれぞれにタイミング信号を供給する。ドライバ１１４は、タイミング信号を用いて撮像素子１１１（図１において符号５３に対応）が撮像するために必要な駆動信号を生成し、生成した駆動信号を撮像素子１１１へ供給する。ＡＦＥ回路１１２は、撮像素子１１１から出力される光電変換信号に対するアナログ処理（ゲインコントロールなど）を行う。Ａ／Ｄ変換回路１１３は、アナログ処理後の撮像信号をディジタル信号に変換する。
【００１４】
メインＣＰＵ１１８は、各ブロックから出力される信号を入力して所定の演算を行い、演算結果に基づく制御信号を各ブロックへ出力する。画像処理回路１１６は、たとえばＡＳＩＣとして構成され、Ａ／Ｄ変換回路１１３から入力されるディジタル画像信号に対する画像処理を行う。
【００１５】
画像処理は、たとえば、撮像素子１１１上の所定領域ごとに対応させてコントラストなどを検出するためのグルーピング処理、撮像素子１１１からの画像信号に対する輪郭強調や色温度調整（ホワイトバランス調整）処理、画像信号に対するフォーマット変換処理が含まれる。
【００１６】
画像圧縮回路１１７は、画像処理回路１１６による処理後の画像信号に対して、JPEG方式で所定の圧縮比率で画像圧縮処理を行う。表示画像作成回路１２０は、撮像画像を外部モニタ１２１に表示させるための表示データを作成する。外部モニタ１２１はＬＣＤなどによって構成される。
【００１７】
記録媒体１３０は、電子カメラ５０に対して着脱可能なメモリカードなどで構成される。記録媒体１３０には、メインＣＰＵ１１８からの指示によって撮影画像のデータおよびその情報を含む画像ファイルが記録される。記録媒体１３０に記録された画像ファイルは、メインＣＰＵ１１８からの指示によって読み出しが可能である。バッファメモリ１１９は、画像処理前後および画像処理途中のデータを一時的に格納する他、記録媒体１３０へ記録する前の画像ファイルを格納したり、記録媒体１３０から読み出した画像ファイルを格納したりするために使用される。
【００１８】
レリーズボタン（不図示）の押下操作に連動してオン／オフする半押しスイッチ１２２および全押しスイッチ１２３は、それぞれオン信号またはオフ信号をメインＣＰＵ１１８へ出力する。
【００１９】
測光装置１２４は、メインＣＰＵ１１８から送出される指示に応じて交換レンズ６０（図１）を通過した光量を検出し、検出信号をメインＣＰＵ１１８へ送出する。シャッタ駆動回路１２５は、シャッター５２の先マグネット１７，および後マグネット１８に対する通電制御を行い、先幕２３および後幕３９の走行を制御する。
【００２０】
シャッタ検出装置１２８は先幕２３および後幕３９の走行状態を検出し、検出信号をメインＣＰＵ１１８へ送出する。シャッタ検出装置１２８は図２の発光素子１０、受光素子１２および反射部材２４を含む。反射部材２４は、アパーチャ６ａの周囲であって先幕２３および後幕３９の可動範囲内に配設される。発光素子１０は、指示に応じて反射部材２４に向けて赤外光を発する。受光素子１２は、赤外光を受光した場合に受光信号を送出する。
【００２１】
反射部材２４上に先幕２３および後幕３９のいずれも存在しない場合、発光素子１０から送出された赤外光が反射部材２４で反射され、この反射光が受光素子１２によって受光される。反射部材２４上に先幕２３および後幕３９のいずれかが存在し、発光素子１０からの光を遮る場合には、受光素子１２は赤外光を受光できない。図２において、シャッタ検出装置１２８（とくに反射部材２４）の配設位置は、先幕２３および後幕３９の走行範囲の略中央に配設されている。
【００２２】
モータ駆動回路１２６は、メインＣＰＵ１１８の指示によってシーケンスモータ１２７の回転を制御する。シーケンスモータ１２７は不図示の撮像シーケンス機構を駆動する。撮像シーケンス機構は、ミラー５１のアップ／ダウン駆動、不図示の絞り駆動、およびシャッター５２のチャージなど、撮影時のシーケンス制御を行うものである。
【００２３】
図４は、電子カメラ５０のメインＣＰＵ１１８によって行われる撮影処理の流れを説明するフローチャートである。図４のフローチャートによるプログラムは、電子カメラ５０のメインスイッチ（不図示）がオン操作された場合、またはメインスイッチがオン状態で半押しスイッチ１２２から操作信号が入力された場合に起動する。図４のステップＳ１において、メインＣＰＵ１１８は測光を行ってステップＳ２へ進む。具体的には、測光装置１２４から入力される検出信号によってレンズ透過光量を演算し、この演算値を用いて被写体輝度ＢＶを得る。ステップＳ２において、メインＣＰＵ１１８は、露出演算を行ってステップＳ３へ進む。露出演算では、設定されている露出モードに応じて撮影時の制御シャッター秒時、制御絞り等が決定される。
【００２４】
ステップＳ３において、メインＣＰＵ１１８は、ステップＳ２の演算結果をファインダ内表示器（不図示）に表示させてステップＳ４へ進む。ステップＳ４において、メインＣＰＵ１１８はレリーズ操作されたか否かを判定する。メインＣＰＵ１１８は、全押しスイッチ１２３から操作信号が入力されるとステップＳ４を肯定判定してステップＳ５へ進み、全押しスイッチ１２３から操作信号が入力されない場合にはステップＳ４を否定判定し、ステップＳ１へ戻る。
【００２５】
ステップＳ５において、メインＣＰＵ１１８はシャッタ駆動回路１２５へ指示を送り、先マグネット１７および後マグネット１８に通電させてステップＳ６へ進む。ステップＳ６において、メインＣＰＵ１１８は、ミラーアップおよび絞り込みを指示してステップＳ７へ進む。具体的には、モータ駆動回路１２６へ指示を送り、シーケンスモータ１２７を正転させる。
【００２６】
ステップＳ７において、メインＣＰＵ１１８はシャッタ駆動回路１２５へ指示を送り、感光部材（本実施形態では撮像素子１１１）への露光を制御するシャッタールーチンを開始させてステップＳ８へ進む。シャッタールーチンの詳細については後述する。
【００２７】
ステップＳ８において、メインＣＰＵ１１８は、ミラーダウンおよび絞り開放を指示してステップＳ９へ進む。具体的には、モータ駆動回路１２６へ指示を送り、シーケンスモータ１２７を逆転させる。
【００２８】
ステップＳ９において、メインＣＰＵ１１８は、シャッター５２を図２に例示した状態にチャージさせてステップＳ１へ戻る。これにより、一連の撮影処理が終了する。
【００２９】
＜閃光装置を使用する場合＞
シャッタールーチンの詳細を図５のタイムチャートを参照して説明する。図５は、撮影時に閃光装置を発光させる場合の動作を例示する図である。タイミングｔ０において、メインＣＰＵ１１８は内部のタイマー回路（不図示）で計時を開始するとともに、先マグネット１７への通電オフを指示し、シャッタ検出回路１２８の発光素子１０を点灯させる。先幕２３は、タイミングｔ０から所定時間Δ１遅れたタイミングｔａにおいて開鎖方向への走行を開始する。所定時間Δ１は、先アーマチャレバー１９が回転し、先駆動レバー２９の回動に至るまでの遅延時間に相当する。
【００３０】
メインＣＰＵ１１８は、シャッタ検出回路１２８の受光素子１２で受光信号が検出されたタイミングｔｂにおいて時間Ｔ１（タイミングｔ０からの経過時間）を記録し、計時を継続する。メインＣＰＵ１１８はさらに、タイミングｔｂから時間Ｔ７が経過したタイミングｔｃにおいて、不図示の閃光装置に対する発光タイミング信号（いわゆるＸ接点信号）を発する。メインＣＰＵ１１８は、タイミングｔｃより後のタイミングｔｄ（タイミングｔ０からの経過時間がＴ５）において、シャッタ検出回路１２８の発光素子１０を一旦消灯させる。
【００３１】
メインＣＰＵ１１８は、タイミングｔ０から時間Ｔｓが経過したタイミングｔｅにおいて、後マグネット１８への通電オフを指示するとともに、シャッタ検出回路１２８の発光素子１０を点灯させる。時間Ｔｓは、制御シャッター秒時に応じて決定する。後幕３９は、タイミングｔｅから所定時間Δ２遅れたタイミングｔｆにおいて閉鎖方向への走行を開始する。所定時間Δ２は、後アーマチャレバー２０が回転し、後駆動レバー３６の回動に至るまでの遅延時間に相当する。
【００３２】
メインＣＰＵ１１８は、シャッタ検出回路１２８の受光素子１２で受光信号が検出されなくなるタイミングｔｇにおいて時間Ｔ２（タイミングｔｅからの経過時間）を記録し、計時を継続する。メインＣＰＵ１１８はさらに、タイミングｔｇから時間Ｔ８が経過したタイミングｔｈにおいて、撮像素子１１１から画像抽出（撮像信号掃き出し）を開始するためのタイミング信号を発する。メインＣＰＵ１１８は、タイミングｔｈより後のタイミングｔｉ（タイミングｔｅからの経過時間がＴ６）において、シャッタ検出回路１２８の発光素子１０を消灯させる。
【００３３】
以上説明したシャッタールーチン処理を行う場合のメインＣＰＵ１１８は、Ｔｒ＝Ｔｓ＋Ｔ２−Ｔ１を算出することにより、アパーチャ６ａの開鎖時間Ｔｒを求める。なお、時間Ｔ５、時間Ｔ６、時間Ｔ７および時間Ｔ８の値は、それぞれあらかじめメインＣＰＵ１１８内の不揮発性メモリ内に格納されている。メインＣＰＵ１１８は、開鎖時間Ｔｒが制御シャッター秒時と合致するように上記時間Ｔｓを決定する。メインＣＰＵ１１８は、求めた開鎖時間Ｔｒと制御シャッター秒時との差異が所定の許容範囲から外れる場合にはシャッター５２の走行異常と判定し、ファインダ内表示器（不図示）に異常を示す表示を行う。
【００３４】
＜スリット露光の場合＞
図６は、撮影時にスリット露光を行う高速シャッターの場合（時間Ｔｓ＜時間Ｔ５が成立する場合）の動作を例示する図である。この場合は同調速度より高速なので、閃光装置の使用は適さない。タイミングｔ０において、メインＣＰＵ１１８は内部のタイマー回路（不図示）で計時を開始するとともに、先マグネット１７への通電オフを指示し、シャッタ検出回路１２８の発光素子１０を点灯させる。先幕２３は、タイミングｔ０から所定時間Δ１遅れたタイミングｔａにおいて開鎖方向への走行を開始する。
【００３５】
メインＣＰＵ１１８は、タイミングｔ０から時間Ｔｓが経過したタイミングｔｅにおいて、後マグネット１８への通電オフを指示する。時間Ｔｓは、制御シャッター秒時に応じて決定する。後幕３９は、タイミングｔｅから所定時間Δ２遅れたタイミングｔｆにおいて閉鎖方向への走行を開始する。
【００３６】
メインＣＰＵ１１８は、シャッタ検出回路１２８の受光素子１２で受光信号が検出されたタイミングｔｂにおいて時間Ｔ１（タイミングｔ０からの経過時間）を記録し、計時を継続する。メインＣＰＵ１１８はさらに、シャッタ検出回路１２８の受光素子１２で受光信号が検出されなくなるタイミングｔｇにおいて時間Ｔ２（タイミングｔｅからの経過時間）を記録し、計時を継続する。メインＣＰＵ１１８はさらに、タイミングｔｇから時間Ｔ８が経過したタイミングｔｈにおいて、撮像素子１１１から画像抽出（撮像信号掃き出し）を開始するためのタイミング信号を発する。メインＣＰＵ１１８は、タイミングｔｈより後のタイミングｔｉ（タイミングｔｅからの経過時間がＴ６）において、シャッタ検出回路１２８の発光素子１０を消灯させる。
【００３７】
スリット露光を行う場合にも、メインＣＰＵ１１８は、Ｔｒ＝Ｔｓ＋Ｔ２−Ｔ１を算出することにより、アパーチャ６ａの開鎖時間Ｔｒを求める。なお、時間Ｔ５、時間Ｔ６、時間Ｔ７および時間Ｔ８の値があらかじめメインＣＰＵ１１８内の不揮発性メモリ内に格納されている点、求めた開鎖時間Ｔｒと制御シャッター秒時との差異が所定の許容範囲から外れる場合にシャッター５２の走行異常と判定し、ファインダ内表示器（不図示）に異常を示す表示を行う点も、上述した閃光装置を使用する場合と同様である。
【００３８】
以上説明したの実施形態によれば、次の作用効果が得られる。
（１）光学式のシャッタ検出回路１２８によってシャッター羽根（先幕２３および後幕３９）の動作を検出し、その検出時点から計時することによって撮影に必要な動作タイミングを得るようにした。非接触でシャッター羽根の動作を検出するので、接触子を有する場合に比べて、接片の摩耗による信頼性低下を招くことがない。
【００３９】
（２）先幕２３の開鎖を所定量検出した時点（タイミングｔｂ）を起点に時間Ｔ７後に閃光装置オンタイミングを発するので、いわゆる先幕シンクロの発光タイミングを正確に得ることができる。従来のＸ接点スイッチ方式の場合、先幕２３が走行開始する前である先アーマチャレバー１９の回動開始（タイミングｔａ近傍）を起点に計時を開始し、所定時間計時後に閃光装置のオンタイミングが発生される。この場合、実際の先幕２３の走行時間が経年変化や使用環境（とくに周囲温度）によって長くなる場合にもアパーチャ６ａを完全に開鎖した後に閃光装置オンタイミングを発するように、十分なマージンを含めた時間が計時される。これに対して本実施形態では、先幕２３の開鎖を所定量（本例ではアパーチャ６ａの約１／２）検出した時点（ｔｂ）を起点に計時を開始するので、計時時間Ｔ７に含めるマージンを少なくできる。
【００４０】
（３）後幕３９の閉鎖を所定量検出した時点（タイミングｔｇ）を起点に時間Ｔ８後に画像抽出タイミングを発するので、撮像素子１１１に対する光を遮光後ただちに撮像素子１１１から画像信号の読出しを開始させることができる。従来のスイッチ方式の場合、後幕３９が走行開始する前である後アーマチャレバー２０の回動開始（タイミングｔｆ近傍）を起点に計時を開始し、所定時間計時後に画像抽出タイミングが発生される。この場合、実際の後幕３９の走行時間が経年変化や使用環境（とくに周囲温度）によって長くなる場合でもアパーチャ６ａを完全に閉鎖した後に画像抽出タイミングを発するように、十分なマージンを含めた時間が計時される。これに対して本実施形態では、後幕３９の閉鎖を所定量（本例ではアパーチャ６ａの約１／２）検出した時点（ｔｇ）を起点に計時を開始するので、計時時間Ｔ８に含めるマージンを少なくできる。このように、一連の撮影処理時間を短縮できるため、とくに連写時において有効である。
【００４１】
（変形例１）
図５のタイムチャートを参照して閃光装置を使用する場合について説明したが、閃光装置を使用しない場合に適用してもよい。閃光装置を使用しない場合には、発光タイミング信号（いわゆるＸ接点信号）が発生しても閃光装置が発光しないように、閃光装置の動作を禁止するように設定しておけばよい。
【００４２】
（変形例２）
図２において、シャッタ検出装置１２８の配設位置を、先幕２３および後幕３９の走行範囲の略中央としたが、略中央より走行範囲の後ろ側（走行終了側）に配設してもよい。図７は、変形例２におけるフォーカルプレーンシャッター５２の構成とシャッタ検出装置１２８の配設位置を例示する図である。図７の構成によれば、図５および図６におけるタイミングｔｂおよびタイミングｔｇがそれぞれ時間軸上で後ろ（右方向）へ移動するため、時間Ｔ７および時間Ｔ８をそれぞれ短く設定できる。この結果、計時時間Ｔ７およびＴ８に含めるマージンをさらに少なくすることができる。
【００４３】
（変形例３）
以上の説明では、先幕群２３、後幕群３９という２組のシャッター羽根群を設けてこれらを精度よく動作制御するフォーカルプレーンシャッターの場合を説明したが、１組のシャッター羽根群のみを有するフォーカルプレーンシャッターの場合にも本発明を適用できる。すなわち、１組のシャッター幕が所定量開鎖すると（すなわち、シャッタ検出回路１２８の受光素子１２で受光信号が検出されると）時間Ｔ７の計時を開始し、当該シャッター幕が所定量閉鎖すると（すなわち、シャッタ検出回路１２８の受光素子１２で受光信号が検出されなくなると）時間Ｔ８の計時を開始するように構成すればよい。
【００４４】
シャッター羽根の可動範囲に向けて信号光を送信する光学式のシャッタ検出回路１２８を例に説明したが、シャッター羽根の可動範囲に向けて超音波信号を送信する超音波方式の検出回路で構成してもよい。
【００４５】
本発明は、フォーカルプレーンシャッターを備えるカメラであれば、感光部材としてイメージセンサを用いる電子カメラに限らずフィルムカメラにも適用できる。
【００４６】
以上の説明はあくまで一例であり、上記の実施形態の構成に何ら限定されるものではない。
【図面の簡単な説明】
【００４７】
【図１】本発明の一実施の形態による一眼レフ電子カメラの要部構成を説明する図である。
【図２】フォーカルプレーンシャッターの構成と作動状態を説明する図である。
【図３】電子カメラの回路構成を説明するブロック図である。
【図４】電子カメラのメインＣＰＵによって行われる撮影処理の流れを説明するフローチャートである。
【図５】シャッタールーチンの詳細を説明する図である。
【図６】シャッタールーチンの詳細を説明する図である。
【図７】変形例２におけるフォーカルプレーンシャッター構成とシャッタ検出装置の配設位置を例示する図である。
【符号の説明】
【００４８】
１０…発光素子
１２…受光素子
２３…先幕
２４…反射部材
３９…後幕
５０…電子カメラ
５１…クイックリターンミラー
５２…フォーカルプレーンシャッター
５３（１１１）…撮像素子
１１８…メインＣＰＵ
１２８…シャッタ検出装置
【図１】
2007279426.tif 000003
【図２】
2007279426.tif 000004
【図３】
2007279426.tif 000005
【図４】
2007279426.tif 000006
【図５】
2007279426.tif 000007
【図６】
2007279426.tif 000008
【図７】
2007279426.tif 000009